(57)【要約】      （修正有）【課題】撮影機と受信装置の接続に用いる接続装置に関し、特に電源および信号を同時に伝達できる撮影機接続装置を提供する。【解決手段】電源供給器と、電源供給器に電機接続する少なくとも１つの第１定圧回路開口窓と、第１定圧回路に電機接続し、電源および信号の伝達に用いる少なくとも１つの接続回路と、接続回路および少なくとも１つの撮影機に接続し、電源および信号の伝達に用いる少なくとも１つの接続ケーブルセットと、第１定圧回路の冷却を補助することに用いる第１ヒートシンクと、接続ケーブルセットと撮影機に電機接続する少なくとも１つの第２定圧回路と、第２定圧回路の冷却を補助することに用いる第２ヒートシンクと、を含み、上記装置によって電力を撮影機に伝達し、撮影機が取得した信号を受信装置に伝達する撮影機接続装置。【選択図】図２
0003136802.tif 000002
【実用新案登録請求の範囲】
【請求項１】
電源供給器と、
該電源供給器に電機接続する少なくとも１つの第１定圧回路開口窓と、
該第１定圧回路に電機接続し、電源および信号の伝達に用いる少なくとも１つの接続回路と、
該接続回路および少なくとも１つの撮影機に接続し、電源および信号の伝達に用いる少なくとも１つの接続ケーブルセットと、
該第１定圧回路の冷却を補助することに用いる第１ヒートシンクと、
該接続ケーブルセットと該撮影機に電機接続する少なくとも１つの第２定圧回路と、
該第２定圧回路の冷却を補助することに用いる第２ヒートシンクと、
を含み、
上記装置によって電力を該撮影機に伝達し、該撮影機が取得した信号を受信装置に伝達する撮影機接続装置。
【請求項２】
前記第１定圧回路および前記第２定圧回路がそれぞれ定圧ＩＣである請求項１記載の撮影機接続装置。
【請求項３】
前記接続ケーブルセットが、接地ケーブル、電源供給ケーブル、信号伝送ケーブルおよび被覆体を含み、該被覆体が絶縁外層および抗障害内層を含む請求項１記載の撮影機接続装置。
【考案の詳細な説明】
【技術分野】
【０００１】
本考案は、撮影機と受信装置の接続に用いる接続装置に関し、特に電源および信号を同時に伝達できる撮影機接続装置に関する。
【背景技術】
【０００２】
現在窃盗事件が頻出しているので、撮影機を利用して録画または録音する方式で自身および財産の安全を保護する補助とし、警察に犯人逮捕のための関連証拠を提供することができる。コミュニティまたは広範囲に運用される監視制御システムは、いずれも共通の特徴を有し、例えば、使用する監視器の数が多く、各監視器に接続するケーブルが長く、各監視器が必要とする電源等である。そのうち、各監視器がいずれも電源で起動する必要があるが、全ての設立箇所が、いずれも電源提供用のコンセントを有しているのではないので、別に電力を提供できる地点から電源ケーブルを監視器まで引き接続する必要があり、相当不便であり、且つ該方式はケーブル資源の浪費を引き起こし、各監視器の電源が大きくいずれもコンセント上に変圧器を結合し、長時間の使用の下、用意に変圧器が発する高熱が燃焼等の問題を引き起こし、また、犯罪者が該箇所の電源を破壊するだけで、該監視器を無効とさせ、犯罪の映像を録画できなくし、死角と作ることができるので、それは、相当厳重な問題である。更に、各監視器の接続用ケーブルが長いので、伝達する過程において、容易に障害を受け、これも現在の最も良く発生する問題の１つである。
【特許文献１】特開２００５−７９７６０号公報
【考案の開示】
【考案が解決しようとする課題】
【０００３】
また、現在、大領域の撮影機においては、敷設時に使用するケーブル量を節約するため、ほとんどが直列方式で接続を行っているが、それが発生する問題はケーブルが切断しただけですぐに経路が絶たれ、全体の領域が映像または音声を伝達し監視管理を行うことができなくなり、安全上の死角となり、相当危険である。
【０００４】
更に、録画設備の収納位置も相当重要な一環であり、録画設備をわかり易い位置においた場合、簡単に破壊または盗難され、監視制御の意義を失ってしまい、受信設備を隠密なところに隠す場合、例えば、天井、セキュリティボックス等であり、冷却不足の問題が発生し、機器の焼損を起こし、相当不便である。
【０００５】
また、現在はインターネットケーブルの敷設は、電源供給型施工法を含むものがあり、その方式は、電源と映像を、インターネットケーブルを共用して撮影機と録画機を接続することにあるが、その欠点は、インターネットケーブル間の線を接続する接点が多く、防水機能が無く容易に酸化し、室外の使用に適合せず、且つ、インターネットケーブルの長さが長いほど、その電圧、電流の両方がケーブルの抵抗の影響を受け、下降し、映像が不明晰になり、またはノイズが発生し、また、そのケーブルの外界に対抗する隔絶能力が低いので、長距離の使用に適合していない。
【課題を解決するための手段】
【０００６】
上記の問題を克服するため、本考案人は、撮影機接続装置を設計し、該接続装置によって各撮影機の電源を直接提供し、同時に撮影機が取得する映像情報または音声情報を後端の受信装置、例えば、パソコンまたは放映機等に伝達する。本考案は、電源供給器、少なくとも１つの第１定圧回路、少なくとも１つの第２定圧回路、少なくとも１つの接続回路、第１ヒートシンク、第２ヒートシンクおよび少なくとも１つの接続ケーブルセットを含み、そのうち、該第１安定回路は該電源供給器に電機接続し、該接続回路は、該第１安定回路に電機接続し、電源および信号を伝達することに用いる。また、該第２安定回路は該接続回路および該撮影機に電機接続し、該撮影機に進入する固定電圧を安定させ、調整し、該第１ヒートシンクは、第１安定回路の冷却を補助することに用いる。該接続ケーブルセットは、該接続回路および少なくとも１つの撮影機に接続し、電源および信号を伝達することに用いる。上記各部材から組成される装置は、まず、電源装置の電力を、安定回路を介して定圧させた後、接続回路、接続ケーブルセットを介して前端の撮影機に伝達し、そのうち、該撮影機はマイクロフォン等を含む監視監聴設備であることができ、その後、該撮影機が取得する映像または音声は該接続回路を介して接続回路に伝達し、同時に後端の受信装置および該接続回路を接続し信号を受信させる。従って、本考案は、接続ケーブルを利用し直接電源を前端の撮影機に伝達し、従来の電源を探す問題を改善する。
【０００７】
また、本考案は広範囲の監視制御に使用する時、長距離の伝達およびケーブルの抵抗を経過することにより、電圧、電流が減衰するので、該電源供給器の電圧値を撮影機が必要とする電圧値より高く設定することができ、該第２定圧回路に合わせて電圧を撮影機が受信する電圧値に調整並びに安定させることができ、例えば、該電源供給器２４は２４ボルトとし、ケーブル抵抗および第２低圧回路を経過した後、撮影機が必要とする１２ボルトに調整し維持固定する。そのうち、該第１定圧回路と該第２定圧回路は、定圧ＩＣを直接使用し電圧を安定させる目的を達成し、例えば、定圧ＩＣ７８１８と定圧ＩＣ７８１２またはその他のＩＣであるが、ただ定圧または電圧調整機能を有すればよく、ここでは、これに限定しない。更に、長距離ケーブルが発生する抵抗は既に電圧および電流を低減し、第２定圧回路に合わせてだけで必要な電力を達成することができ、従来の方式のように体積の大きな変圧器を必要としない。
【０００８】
該第２定圧回路が過熱により効用を喪失することを避けるため、外側に該第２ヒートシンクを設置し、該第２ヒートシンクの型式は、例えば、アルミ合金から製造され、または導熱冷却効能を有する材質で製造され、効率的に冷却する目的を達成し、該ヒートシンクは一体に成型され、該第２定圧回路を覆うことができ、防水の機能を有し、該第２定圧回路の損壊を避けることができる。
【０００９】
本考案が使用する接続ケーブルセットは、接地ケーブル、電源供給ケーブル、信号伝送ケーブルおよび被覆体を含み、該被覆体は該接地ケーブル、電源供給ケーブル、信号伝送ケーブルを内部に被覆し、このようにして、外の雨、風、日差しによって、ケーブルが急速に老化し損壊してしまうことを避けることができる。更に、該接続ケーブルセットに最良の伝送効果を達成させるため、該接地ケーブル、該電源供給ケーブル、該信号伝送ケーブルを高伝導な材質を用い、例えば、銅、金、銀等の材質であり、該電源ケーブルおよび該信号伝送ケーブルの外縁は絶縁体で被覆され、２つの線が接触しショート、発火等の問題が発生することを回避する。また、外部信号の障害を受けることを避けるため、該被覆体が絶縁外層および抗障害内層から組成され、ノイズを隔離する目的を達成する。また、通常の監視制御装置を設置する接続ポートに合わせて、該接続ケーブルセット上に電源プラグと信号プラグを設けてなり、挿入接続に便利にすることができる。
【００１０】
本考案は、殻体を利用し各部材を被覆し、隠密なところに収納設置でき、窃盗者の破壊を受けることを避け、同時に数個の受信装置を接続でき、例えば、ディスプレイ、パソコンまたは録画再生設備であり、各受信装置をそれぞれ分けて置き、盗難防止、破壊防止、火災防止し、保存した録画データの安全性を向上させることができる。そのうち、各受信装置と本考案の接続方式は、無線または有線の方式を利用し、伝達の目的を達成することができ、例えば、Bluetooth、赤外線または信号伝達ケーブルを使用して該接続回路と該受信装置を接続する。また、本考案は、直接、受信装置内に組み込むこともでき、ユーザーの実装に便利にすることができる。更に、本考案の電源供給器は無停電電源装置を連接することができ、該無停電電源装置が停電時に電力を提供し、停電によって本考案が停止する問題を避けることができる。
【考案の効果】
【００１１】
本考案は、各監視制御装置６０と直接連結し、直接電源を提供し、一つの線が剪断されても、その他の監視制御装置６０の停止を起こすことがなく、更に、各監視制御装置６０は、別途電源を探す必要が無く、別途電源ケーブルを必要とせず、使用するハードウェア工具は、従来の施工が使用するハードウェアより少なく（約６０％）、電源ケーブルを買い置きする金額も従来の施工方式より少なく（約５０％）、ケーブルを引く過程が更に便利になり、また、本考案は受信装置７０と分けて収納でき、冷却不良の問題が発生せず、更に、同時に複数の受信装置７０を接続でき、分けておくことにより、破壊されるリスクを低減でき、盗難からの予防、破壊からの予防、火災からの予防をすることができ、保存した映像および音声データの安全性を向上させることができる。
【考案を実施するための最良の形態】
【００１２】
図１、図２において、本考案の撮影機接続装置は、電源供給器１０、少なくとも１つの第１定圧回路２０、少なくとも１つの接続回路３０、第１ヒートシンク４０、少なくとも１つの接続ケーブルセット５０、少なくとも１つの第２低圧回路８０、第２ヒートシンク８１を含み、そのうち、該第１安定回路１０は該電源供給器１０に電機接続し、該接続回路３０は、該第１安定回路２０に電機接続し、該接続ケーブルセット５０は、該接続回路３０および該第２安定回路８０に接続し、該電源供給器１０が発生する電源を、第１安定回路２０を介して電圧を安定させた後、該接続回路３０に伝達し、該接続回路５０を介して該第２電圧回路８０に伝達し調整および電圧の安定を行い、その後、撮影機６０に伝達し、電力供給の目的を達成し、同時に、該撮影機６０が取得する映像または音声は同時に該接続ケーブルセット５０を介して該接続回路３０に伝達し、該接続回路３０が接続する受信装置７０に伝達する。上記が組成する装置によって、撮影機６０に直接電力を提供でき、ケーブルを敷設する時間を節約し、消耗材の使用等を減少する効果を達成する。そのうち、該撮影機６０はマイクロフォンを含むことができ、同時に該周囲の状況を監聴することに用いることができる。更に、該第１ヒートシンク４０は、第１定圧回路２０の冷却に用い、該第１定圧回路２０が過熱により損壊し動作できなくなることを避けることができる。また、該接続回路３０は、電源を撮影機６０に伝達し、信号を受信装置７０に伝達でき、受信装置７０にデータファイルの保存および再生させることができる。
【００１３】
更に、図２において、該撮影機６０が安定した電源を得られるようにし、更に該接続ケーブルセット５０と該撮影機６０との間に該第２定圧回路８０を電機接続し、更にその外部にヒートシンク８１を被覆し、該第２定圧回路８０の温度が過度に高くなることを避け、該ヒートシンク８１の型式は、例えば、アルミ合金または導熱冷却効果を有する材質で製造されてなり、該ヒートシンク８１を一体に成型し、該第２定圧回路８０の外部を覆うようにし、同時に防水の効果を有し、更に該第２定圧回路８０の損壊を回避することができる。
【００１４】
また、電圧および電流が長距離の伝達およびケーブルの抵抗を経過して電圧、電流の減衰を起こし、撮影機６０に供給する電圧電流の不安定を招き、映像または音声が取得中にノイズが発生するので、該電源供給器１０の電圧を撮影機６０が必要とする電圧よりやや高く設定し（例えば２４ボルト）、抵抗を経過して下降した後、該第２安定回路８０によって電圧を撮影機が受信できる電圧値（例えば１２ｖ）に調整することができ、即ち、撮影機６０が不安定な電源の障害を受けることから保護することができる。また、該第１安定回路２０と該第２安定回路８０は定圧ＩＣであることができ、例えば、定圧ＩＣ７８１８および定圧ＩＣ７８１２またはその他のＩＣであるが、定圧または電圧調整機能を有すればよく、この類型に限定しない。
【００１５】
図３に示すように、本考案によって、同時に複数の撮影機６０および複数の受信装置７０を接続でき、本考案は、電源を各撮影機６０に統一して提供するので、各撮影機６０は独立した個体であり、そのケーブルが破壊されることで、全部の撮影機６０が障害となることがない。且つ、通常撮影機６０が設ける接続ポートに合わせて、該接続ケーブルセット５０上に電源プラグ５１と信号プラグ５２を設置することができ、各撮影機６０を挿入接続させることができる。そのうち、該信号プラグは、例えば、ＢＮＣ等の型式プラグであることができる。
【００１６】
図４に示すように、該接続ケーブルセット５０は、接地ケーブル５１、電源供給ケーブル５２、信号伝送ケーブル５３および被覆体５４を含み、該被覆体５４は該接地ケーブル５１、電源供給ケーブル５２、信号伝送ケーブル５３を内部に被覆し、このようにして、外の雨、風、日差しによって、ケーブルが急速に老化し損壊してしまうことを避けることができる。更に、該接続ケーブルセット５０は、高伝導な材質を用い、例えば、銅、金、銀等の材質であり、該電源供給ケーブル５２および該信号伝送ケーブル５３の外縁は絶縁体５２１，５３１で被覆され、該被覆体５４が絶縁外層５４１および抗障害内層５４２から組成され、外界が発生するノイズを隔離する目的を達成する。
【００１７】
更に、殻体を利用し直接本考案を被覆することができ、収納に便利とすることができる。また、各受信装置７０と本考案は、有線または無線の方式を介して信号データを伝送することができ、例えば、bluetooth、赤外線または信号伝達ケーブル等を使用する方式で該接続回路３０と該受信回路７０を接続し、データを伝送する。また、本考案は、直接受信装置内７０内に組み込むこともでき、相当便利である。もちろん、該信号伝達線のプラグは通常使用されるＢＮＣプラグまたはデジタル信号プラグまたは三色プラグ等であることができ、各種受信装置（例えば、録画再生機、ディスプレイまたはパソコン）と便利に接続することができる。
【００１８】
また、本考案の電源供給器１０は、無停電電源装置に接続することができ、無停電電源装置によって、停電時に電力を提供し、停電または故障によって本考案が停止する問題の発生を避けることができる。
【００１９】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【図面の簡単な説明】
【００２０】
【図１】本考案の実施例の説明図である。
【図２】本考案の実施例の使用状態説明図である。
【図３】本考案の実施例の使用状態説明図である。
【図４】本考案の実施例が使用する接続ケーブルセットの断面図である。
【符号の説明】
【００２１】
１０  電源供給器
２０ 第１定圧回路
３０ 接続回路
４０ 第１ヒートシンク
５０ 接続ケーブルセット
５１ 電源プラグ
５２ 信号プラグ
５２１ 絶縁体
５３ 信号伝送ケーブル
５３１ 絶縁体
５４  被覆体
５４１  絶縁外層
５４２  抗障害内層
６０ 撮影機
７０ 受信装置
８０ 第２定圧回路
８１ 第２ヒートシンク
【図１】
0003136802.tif 000003
【図２】
0003136802.tif 000004
【図３】
0003136802.tif 000005
【図４】
0003136802.tif 000006